(57)【特許請求の範囲】
【請求項１】
ネットワーク非対応の画像処理装置とネットワーク対応可能な携帯端末装置とを備えた画像処理システムであって、
前記画像処理装置は、
ＵＳＢ接続手段と、
該ＵＳＢ接続手段を介して接続された携帯端末装置に対して、ファイル操作要求を行う要求手段と、
を備え、
前記携帯端末装置は、
ＵＳＢ接続手段と、
該ＵＳＢ接続手段を介して自装置が前記画像処理装置のＵＳＢ接続手段に接続されたことを検知する検知手段と、
複数のフォルダを作成可能な記憶手段と、
前記記憶手段に作成された複数のフォルダに対して、それぞれＷｅｂサービスのアドレス情報を予め設定する設定手段と、
前記検知手段により、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウント手段と、
前記画像処理装置から、何れかのフォルダにマウントされたＷｅｂサービス上のフォルダに対して前記ファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御手段と、
を備えたことを特徴とする画像処理システム。
【請求項２】
前記ファイル操作要求は、ファイルリストの転送要求またはファイルのコピー要求である請求項１に記載の画像処理システム。
【請求項３】
ＵＳＢ接続手段を備えたネットワーク非対応の画像処理装置と接続可能でネットワーク対応可能な携帯端末装置であって、
ＵＳＢ接続手段と、
該ＵＳＢ接続手段を介して自装置が前記画像処理装置のＵＳＢ接続手段に接続されたことを検知する検知手段と、
複数のフォルダを作成可能な記憶手段と、
前記記憶手段に作成された複数のフォルダに対して、それぞれＷｅｂサービスのアドレス情報を予め設定する設定手段と、
前記検知手段により、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウント手段と、
前記画像処理装置から、何れかのフォルダにマウントされたＷｅｂサービス上のフォルダに対してファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御手段と、
を備えたことを特徴とする携帯端末装置。
【請求項４】
ＵＳＢ接続手段を備えたネットワーク非対応の画像処理装置と接続可能でネットワーク対応可能な携帯端末装置で実行されるファイル処理方法であって、
ＵＳＢ接続手段を介して自装置が前記画像処理装置のＵＳＢ接続手段に接続されたことを検知する検知ステップと、
複数のフォルダを作成可能な記憶手段に作成された複数のフォルダに対して、それぞれＷｅｂサービスのアドレス情報を予め設定する設定ステップと、
前記検知ステップにおいて、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウントステップと、
前記画像処理装置から、何れかのフォルダにマウントされたＷｅｂサービス上のフォルダに対してファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御ステップと、
を備えたことを特徴とするファイル処理方法。
【請求項５】
ＵＳＢ接続手段を備えたネットワーク非対応の画像処理装置と接続可能でネットワーク対応可能な携帯端末装置のコンピュータに、
ＵＳＢ接続手段を介して自装置が前記画像処理装置のＵＳＢ接続手段に接続されたことを検知する検知ステップと、
複数のフォルダを作成可能な記憶手段に作成された複数のフォルダに対して、それぞれＷｅｂサービスのアドレス情報を予め設定する設定ステップと、
前記検知ステップにおいて、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウントステップと、
前記画像処理装置から、何れかのフォルダにマウントされたＷｅｂサービス上のフォルダに対してファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御ステップと、
を実行させるためのファイル処理プログラム。
【発明の詳細な説明】
【技術分野】
【０００１】
この発明は、ネットワーク非対応のプリンタ等の画像処理装置と、ＵＳＢを介して接続されるネットワーク対応可能なスマートフォン、タブレット端末等の携帯端末装置とを備えた画像処理システム、携帯端末装置、携帯端末装置で実行されるファイル処理方法及びファイル処理プログラムに関する。
【背景技術】
【０００２】
ネットワーク非対応のプリンタ等の画像処理装置から、Ｗｅｂサービス上の所望のファイルを読み出したい場合、従来では、一度ＵＳＢ（Universal Serial Bus）メモリやスマートフォン等の携帯端末装置にファイルを保存し、そこから画像処理装置に読み出す必要があった。
【０００３】
また、ＵＳＢメモリや携帯端末装置へのファイルの保存も、Ｗｅｂサービスへのログイン、所望のファイルのあるディレクトリへの移動、ファイルの指定、ダウンロードといった一連の準備が必要であり、手間がかかっていた。
【０００４】
なお、画像処理装置と携帯端末装置を接続し、電話回線経由でファイルを取得してプリントする技術が既に知られている（例えば特許文献１、２）。
【先行技術文献】
【特許文献】
【０００５】
【特許文献１】特開２００１−２９０６２０号公報
【特許文献１】特開２００５−５７４９１号公報
【発明の概要】
【発明が解決しようとする課題】
【０００６】
ところが、前記特許文献１及び特許文献２に記載の技術は、画像処理装置からの操作でＷｅｂサービスからファイルを取得するものではなく、やはり一連の準備が必要で手間がかかるという問題点を払拭できなかった。
【０００７】
この発明は、このような実情に鑑みてなされたものであり、Ｗｅｂサービスへのログイン、所望のファイルのあるディレクトリへの移動、ファイルの指定、ダウンロードといった一連の準備を必要とすることなく、ネットワーク非対応の画像処理装置からＷｅｂサービス上のファイルの取得等のファイル操作を行うことができる画像処理装置システム、及び該システムに用いられる携帯端末装置を提供し、さらにはファイル処理方法及びファイル処理プログラムを提供することを課題とする。
【課題を解決するための手段】
【０００８】
上記課題は、以下の手段によって解決される。
（１）ネットワーク非対応の画像処理装置とネットワーク対応可能な携帯端末装置とを備えた画像処理システムであって、前記画像処理装置は、ＵＳＢ接続手段と、該ＵＳＢ接続手段を介して接続された携帯端末装置に対して、ファイル操作要求を行う要求手段と、を備え、前記携帯端末装置は、ＵＳＢ接続手段と、該ＵＳＢ接続手段を介して自装置が前記画像処理装置のＵＳＢ接続手段に接続されたことを検知する検知手段と、複数のフォルダを作成可能な記憶手段と、前記記憶手段に作成された複数のフォルダに対して、それぞれＷｅｂサービスのアドレス情報を予め設定する設定手段と、前記検知手段により、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウント手段と、前記画像処理装置から、何れかのフォルダにマウントされたＷｅｂサービス上のフォルダに対して前記ファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御手段と、を備えたことを特徴とする画像処理システム。
（２）前記ファイル操作要求は、ファイルリストの転送要求またはファイルのコピー要求である前項１に記載の画像処理システム。
（３）ＵＳＢ接続手段を備えたネットワーク非対応の画像処理装置と接続可能でネットワーク対応可能な携帯端末装置であって、ＵＳＢ接続手段と、該ＵＳＢ接続手段を介して自装置が前記画像処理装置のＵＳＢ接続手段に接続されたことを検知する検知手段と、複数のフォルダを作成可能な記憶手段と、前記記憶手段に作成された複数のフォルダに対して、それぞれＷｅｂサービスのアドレス情報を予め設定する設定手段と、前記検知手段により、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウント手段と、前記画像処理装置から、何れかのフォルダにマウントされたＷｅｂサービス上のフォルダに対してファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御手段と、を備えたことを特徴とする携帯端末装置。
（４）ＵＳＢ接続手段を備えたネットワーク非対応の画像処理装置と接続可能でネットワーク対応可能な携帯端末装置で実行されるファイル処理方法であって、ＵＳＢ接続手段を介して自装置が前記画像処理装置のＵＳＢ接続手段に接続されたことを検知する検知ステップと、複数のフォルダを作成可能な記憶手段に作成された複数のフォルダに対して、それぞれＷｅｂサービスのアドレス情報を予め設定する設定ステップと、前記検知ステップにおいて、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウントステップと、前記画像処理装置から、何れかのフォルダにマウントされたＷｅｂサービス上のフォルダに対してファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御ステップと、を備えたことを特徴とするファイル処理方法。
（５）ＵＳＢ接続手段を備えたネットワーク非対応の画像処理装置と接続可能でネットワーク対応可能な携帯端末装置のコンピュータに、ＵＳＢ接続手段を介して自装置が前記画像処理装置のＵＳＢ接続手段に接続されたことを検知する検知ステップと、複数のフォルダを作成可能な記憶手段に作成された複数のフォルダに対して、それぞれＷｅｂサービスのアドレス情報を予め設定する設定ステップと、前記検知ステップにおいて、自装置が前記画像処理装置のＵＳＢ接続手段に接続されたことが検知されたときに、それぞれのＷｅｂサービスのアドレスにアクセスして、Ｗｅｂサービス上のフォルダを対応するフォルダにマウントするマウントステップと、前記画像処理装置から、何れかのフォルダにマウントされたＷｅｂサービス上のフォルダに対してファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得し、前記画像処理装置に転送する制御ステップと、を実行させるためのファイル処理プログラム。
【発明の効果】
【０００９】
前項（１）に記載の発明によれば、携帯端末装置を画像処理装置にＵＳＢ接続すると、携帯端末装置によりＵＳＢ接続手段に接続されたことが検知され、複数のフォルダに対してそれぞれ設定されたＷｅｂサービスのアドレスにアクセスして、Ｗｅｂサービス上のフォルダを記憶手段に形成されたフォルダにマウントする。何れかのフォルダにマウントされたＷｅｂサービス上のフォルダに対して、画像処理装置からファイル操作要求がなされたときは、Ｗｅｂサービス毎に予め設定された変換テーブルに従って前記ファイル操作要求を対応するＷｅｂサービスへのコマンドに変換して前記Ｗｅｂサービスへ転送することによりＷｅｂサービスから対応するデータを取得して、前記画像処理装置に転送する。
【００１０】
つまり、携帯端末装置が画像処理装置にＵＳＢ接続されると、携帯端末装置から予め設定されたＷｅｂサービスのアドレスにアクセスして、Ｗｅｂサービス上のフォルダを前記フォルダにマウントするから、Ｗｅｂサービスへのログイン、所望のファイルのあるディレクトリへの移動、ファイルの指定、ダウンロードといった一連の準備を必要とすることなく、Ｗｅｂサービス上のフォルダを携帯端末装置のフォルダに自動的にマウントできる。従って、ネットワーク非対応の画像処理装置であっても、ユーザーはＵＳＢメモリを利用するのと同様に、Ｗｅｂサービス上のファイルであることを意識することなく、必要なファイルの取得等のファイル操作を行うことができる。
【００１１】
前項（２）に記載の発明によれば、ユーザーは画像処理装置からＷｅｂサービス上のファイルについてのファイルリストやファイルのコピーを行うことができる。
【００１２】
前項（３）に記載の発明によれば、ネットワーク非対応の画像処理装置でっあても、ユーザーはＵＳＢメモリを利用するのと同様に、Ｗｅｂサービス上のファイルであることを意識することなく、必要なファイルの取得等のファイル操作を行うことを可能にする携帯端末装置となし得る。
【００１３】
前項（４）に記載の発明によれば、ネットワーク非対応の画像処理装置でっあても、ユーザーはＵＳＢメモリを利用するのと同様に、Ｗｅｂサービス上のファイルであることを意識することなく、必要なファイルの取得等のファイル操作を行うことができる。
【００１４】
前項（５）に記載の発明によれば、ネットワーク非対応の画像処理装置でっあても、ユーザーはＵＳＢメモリを利用するのと同様に、Ｗｅｂサービス上のファイルであることを意識することなく、必要なファイルの取得等のファイル操作を行うことができる処理を、携帯端末装置のコンピュータに実行させることができる。
【図面の簡単な説明】
【００１５】
【図１】この発明の一実施形態に係る画像処理システムの構成図である。
【図２】画像処理装置の電気的構成を示すブロック図である。
【図３】携帯端末装置の電気的構成を示すブロック図である。
【図４】画像処理装置と該画像処理装置にＵＳＢ接続された携帯端末内のフォルダが仮想的にＷｅｂサービス内のデータストレージと接続される様子を模式的に示す図である。
【図５】Ｗｅｂサービス変換テーブルを示す図である。
【図６】画像処理装置側のファイル操作と携帯端末装置側のコマンドとを対応付けた表である。
【図７】Ｗｅｂサービス変換テーブルに基づく設定を行い、画像処理装置と携帯端末装置をＵＳＢ接続した後の、携帯端末装置の各フォルダとＷｅｂサービスとの接続状態を模式的に示した図である。
【図８】携帯端末装置のアプリケーション内の具体的な機能構成を示す図である。
【図９】携帯端末装置の動作を示すフローチャートである。
【発明を実施するための形態】
【００１６】
以下、この発明の実施形態を図面に基づいて説明する。
【００１７】
図１は、この発明の一実施形態に係る画像処理システムの構成図である。このシステムは画像処理装置１と携帯端末装置２とを有し、これらがＵＳＢを介して相互に接続可能となっている。
【００１８】
画像処理装置１はネットワーク非対応、つまりネットワーク３に接続できない構成である。一方、携帯端末装置２はネットワーク３に対応可能、つまりネットワーク３に接続できる構成となっており、自社クラウド、Ｐｕｂｌｉｃクラウド、他社クラウドといったＷｅｂサービス４にネットワーク３を通じて接続し、ファイル等の取得が可能となっている。
【００１９】
この実施形態では、画像処理装置１としてコピー機能、プリント機能、スキャン機能、ファクシミリ機能等を多機能複合機であるＭＦＰが用いられているが、これに限定されることはない。以下、画像処理装置をＭＦＰとも記す。また、携帯端末装置を携帯端末とも記す。携帯端末２には、スマートフォン、タブレット端末等が用いられる。
【００２０】
図２は、ＭＦＰ１の電気的構成を示すブロック図である。
【００２１】
図２において、ＭＦＰ１は、全体を制御するための演算装置であるＣＰＵ（Central Processing Unit）１０と、ＣＰＵ１０で実行されるプログラム等を記憶するためのＲＯＭ（Read Only Memory）１１と、ＣＰＵ１０でプログラムを実行する際の作業領域として機能するＲＡＭ(Random Acces Memory）１２と、図示しない原稿台に載置された原稿を光学的に読み取って画像データを得るためのスキャナ１３と、画像データを印刷用紙上に固定するためのプリンタ１４と、情報を表示したり、当該ＭＦＰ１に対する操作入力を受け付けたりするための操作ネル１５と、スキャナ１３で読み取った画像データや携帯端末２等の外部装置から取得したファイルや、アプリケーションプログラム等を保存するための記憶部１６と、ＵＳＢ接続部１７等を備えている。
【００２２】
操作パネル１５は、表示部１５１とタッチパネル１５２と操作キー群１５３とを備えている。タッチパネル１５１は、液晶表示装置等からなる表示部１５１に重ねられた光学式タッチパネルや静電容量タイプ等の位置表示装置からなり、表示部１５１に表示された操作画面上の指示位置を特定する。
【００２３】
ＵＳＢ接続部１７はＵＳＢ接続ポート、ＵＳＢインターフェース、ＵＳＢデバイス等を備え、携帯端末２やその他の機器をＵＳＢ接続することができるようになっている。
【００２４】
ＣＰＵ１０はＵＳＢ接続部１７に接続された携帯端末２に対して、ユーザーの操作に基づいて、ファイル操作要求を行う。
【００２５】
図３は、携帯端末２の電気的構成を示すブロック図である。
【００２６】
図３において、携帯端末２は、全体を制御するための演算装置であるＣＰＵ２０と、ＣＰＵ２０で実行されるプログラム等を記憶するためのＲＯＭ２１と、ＣＰＵ２０でプログラムを実行する際の作業領域として機能するＲＡＭ２２と、画像データや文書データ等のファイルを記憶したり、他の情報を記憶するための記憶部２３と、情報を表示したり、当該携帯端末２に対する操作入力を受け付けたりするための操作パネル２４と、図示しない基地局と通信することによる電話回線を介した通信を制御するための通信コントローラ２５と、ネットワークを介した通信を制御するためのネットワークインターフェース２６と、ＭＦＰ１等の外部機器とＵＳＢ接続を行うためのＵＳＢ接続部２７を備えている。ＵＳＢ接続部２７は、ＵＳＢインターフェース、ＵＳＢデバイス等を備えている。
【００２７】
操作パネル２４は、ＭＦＰ１の操作パネル１５と同様の構成であってもよい。すなわち、一例として、液晶表示装置等からなる表示部２４１と、該表示部２４１に重ねられた光学式タッチパネルや静電容量タッチパネル等の位置指示装置からなるタッチパネル２４２を含む。
【００２８】
ＣＰＵ２０は、ＵＳＢ接続部２７を介して携帯端末２がＭＦＰ１に接続されると、接続されたことを検知して検知信号を出力する。
【００２９】
図４は、ＭＦＰ１と該ＭＦＰ１にＵＳＢ接続された携帯端末２内のフォルダが仮想的にＷｅｂサービス（クラウドともいう）４内のデータストレージと接続される様子を模式的に示すものである。
【００３０】
ＭＦＰ１のローカルフォルダ１６１Ｕからは、携帯端末２内のローカルフォルダ２３１Ｕが、ＭＦＰ１のＡ〜Ｃフォルダ１６１Ａ〜１６１Ｃからは携帯端末２のＡ〜Ｃフォルダ２３１Ａ〜２３１Ｃを介してクラウド４上のフォルダが仮想的に見えている。
【００３１】
上記のように、携帯端末２内のフォルダを仮想的にクラウド４内のデータストレージと接続するために、まず、ネットワーク非対応のＭＦＰ１にＵＳＢドライブ上で仮想的に見せたいクラウド４のフォルダと、携帯端末１のアプリケーション（以下、単にアプリともいう）内のＡ〜Ｃフォルダ２３１Ａ〜２３１Ｃの割付を、携帯端末２のアプリ上でセットアップする。なお、携帯端末２内のＡ〜Ｃフォルダ２３１Ａ〜２３１Ｃは、ＵＳＢメモリ上のフォルダ作成操作と同様の操作で作成可能である。
【００３２】
前記セットアップは、ユーザーが携帯端末２において各フォルダ２３１Ａ〜２３１Ｃを作成すると共に、作成したフォルダ２３１Ａ〜２３１Ｃに対して、図５のＷｅｂサービス変換テーブルに示すような設定を行うことにより実行される。例えば、Ａフォルダ２３１Ａについては、Ｗｅｂサービス４として自社クラウドを設定すると共に、ユーザーＩＤ及びパスワードを入力するよう設定し、さらには自社クラウド４の接続先であるデータストレージのアドレスを設定する。なお、必要に応じて、データストレージの下位層のアドレスも設定する。Ｂフォルダ２３１Ｂ以下のフォルダについても同様に設定を行う。
【００３３】
また、Ｗｅｂサービス４毎にファイルシステム（後述する）の操作は異なるので、図６の表のようにその操作も対応付けて設定する。例えば、ユーザーによるＭＦＰ１からのファイル操作が、登録されたＡフォルダ２３１Ａのオープン操作である場合は、携帯端末２のアプリによる内蔵メモリ（記憶部２３）領域へのコマンドとして「ｃｄ」を設定し、ネットワーク上を転送されるコマンドとして、Ｆｔｐの場合には、「Ｆｔｐ  ｘｘｘ．ｃｏ．ｊｐ」及びＩＤ入力、パスワードの入力等が設定される。また、Ａフォルダ２３１Ａの下位層のフォルダ「Ａ ＳＵＢ」をＭＦＰ１からオープンする操作の場合は、携帯端末２のアプリケーションによるコマンドとして「ｃｄ  Ａ ＳＵＢ」を設定し、ネットワーク上を転送されるコマンドとして、「ｃｄ  Ａ ＳＵＢ／・・・／・・・」等が設定される。ＭＦＰ１からファイルのドラッグアンドドロップによるコピー操作を行う場合やその他の設定も同様に行われる。
【００３４】
図７は、上記のようなセットアップを行い、ＭＦＰ１と携帯端末２をＵＳＢ接続した後の、各フォルダ２３１Ａ、２３１Ｂ・・・とＷｅｂサービス４との接続状態を模式的に示した図である。
【００３５】
携帯端末２のＣＰＵ２０がＭＦＰ１とのＵＳＢ接続を検知すると、図５及び図６に示したＷｅｂサービス変換テーブルに示した設定に従って、携帯端末２内の各フォルダ２３１Ａ、２３１Ｂ・・・に割り付けられたＷｅｂサービス４に自動的に接続し、登録されたユーザーＩＤ、パスワードを基にログインする。
【００３６】
その後、これもＷｅｂサービス変換テーブルに登録されたサービス上の指定のデータストレージの下位層に移動し、そのディレクトリ（フォルダ）を携帯端末２の各フォルダにマウントする。
【００３７】
次に、図１に示した画像処理システムの動作を、携帯端末２のアプリ内の具体的な機能構成を示す図８を参照して説明する。
【００３８】
携帯端末２がＭＦＰ１にＵＳＢ接続されると、ＣＰＵ２０はＵＳＢデバイス２７２を介して接続を検知し、検知信号Ｓを出力する。この検知信号Ｓをトリガとして、登録されたＷｅｂサービス変換テーブルを基に、各フォルダ２３１Ａ、２３１Ｂ，・・・に割り付けられたＷｅｂサービス４にログインし、クラウド上のデータストレージのディレクトリ（フォルダ）を各フォルダ２３１Ａ、２３１Ｂ，・・・にマウントする。マウントする仕組みやシステムは、ネットワークファイルシステム２８という既存技術で構成され、ファイル共有を実現できる。ネットワークファイルシステムの代表例として「ＮＦＳ」を挙げることができる。
【００３９】
クラウド上のディレクトリ（フォルダ）を携帯端末２の各フォルダ２３１Ａ、２３１Ｂ，・・・にマウントした状態では、ＭＦＰ１からのフォルダオープンやファイルリストの取得といったファイル操作は、ＵＳＢプロトコルに変換されて携帯端末２に送信される。
【００４０】
携帯端末２はこれを受信すると、携帯端末２内で、ＵＳＢプロトコルから通常のファイルアクセス命令の処理に変換され、記憶部２３を制御するためのメモリ制御部２００へ送られる。なお、メモリ制御部２００はＣＰＵ２０の機能の一部として構成される。
【００４１】
メモリ制御部２００に送られたファイルアクセス命令は、メモリ制御部２００により携帯端末２の記憶部２３へのファイルアクセス命令に変換され、それぞれのフォルダ２３１Ａ、２３１Ｂ，・・・へ送られる。このとき、クラウド４に割り付けられたフォルダ（例えばＡフォルダ２３１Ａ）へのアクセスか、ローカルメモリ２３１Ｕへのアクセスかは区別されない。
【００４２】
ファイルアクセス命令が、例えばＡフォルダ２３１Ａに対するファイル操作（例えばファイルリスト取得操作）である場合、携帯端末２はクラウド上のデータストレージからファイルリストを取得する。取得されたファイルリストはメモリ制御部２００に転送され、さらにＭＦＰ１へ転送される。
【００４３】
また、ＭＦＰ１の操作により、携帯端末２の例えばＡフォルダ２３１Ａからファイルをコピーする場合は、クラウド上のデータストレージから携帯端末２の記憶部２３のメモリ領域にファイルがコピーされるので、ＭＦＰ１から見ると、携帯端末２のＵＳＢメモリ上にファイルがあり、それをＭＦＰ１側コピーすることになる。すなわち、携帯端末２の各フォルダ２３１Ａ、２３１Ｂ，・・・にクラウド上のフォルダをマウントしておくことで、ＭＦＰ１からは恰もＵＳＢメモリ上のフォルダやファイルとして見えることになる。
【００４４】
しかも、携帯端末２がＭＦＰ１にＵＳＢ接続されると、自動的に、携帯端末２から予め設定されたＷｅｂサービスの接続アドレスにアクセスして、Ｗｅｂサービス上のディレクトリ（フォルダ）を携帯端末２の前記フォルダ２３１Ａ、２３１Ｂ・・・にマウントするから、Ｗｅｂサービス４へのログイン、所望のファイルのあるディレクトリへの移動、ファイルの指定、ダウンロードといった一連の準備を必要とすることなく、Ｗｅｂサービス４上のフォルダを携帯端末２のフォルダ２３１Ａ、２３１Ｂ・・・に自動的にマウントできる。従って、ユーザーは、ネットワーク非対応のＭＦＰ１から、ＵＳＢメモリを利用するのと同様の感覚で、Ｗｅｂサービス４上のファイルであることを意識することなく、必要なファイルの取得等のファイル操作を行うことができる。
【００４５】
図９は、携帯端末２動作を示すフローチャートである。この動作は携帯端末２のＣＰＵ２０がＲＯＭ２１や記憶部２３等に格納された動作プログラムに従って動作することにより実行される。
【００４６】
図９では、ステップＳ００でＭＦＰ１とのＵＳＢ接続を検知すると、ステップＳ０１で、Ｗｅｂサービス変換テーブルに基づいて登録されたＷｅｂサービス４にログインし、ステップＳ０２で、得録されたクラウド４上のディレクトリ（フォルダ）に移動する。そして、ステップＳ０３で、各フォルダ２３１Ａ、２３１Ｂ・・・をオープンし、クラウド上のディレクトリ（フォルダ）を携帯端末２内の各フォルダ２３１Ａ、２３１Ｂ・・・にマウントする。
【００４７】
ユーザーがＭＦＰ１でファイルリストの取得操作やファイルコピー操作等のファイル操作を行うと、ＭＦＰ１はファイルリストの転送命令やファイルコピー命令を携帯端末２に送信する。
【００４８】
ステップＳ０４では、ＭＦＰ１からファイルリストの転送命令（ファイルリストの取得命令）があったかどうかを調べ、あると（ステップＳ０４でＹＥＳ）、ステップＳ１４で、ＭＦＰ１からのファイルリスト取得命令がメモリ制御部２００へ転送される。
【００４９】
次いで、ステップＳ１５では、ＭＦＰ１からの命令で指定された携帯端末２内のフォルダに対して、メモリ制御部２００からファイルリストの取得命令が発行され、ステップＳ１６ではファイルリスト取得命令がクラウド４へ転送される。
【００５０】
ステップＳ１７で、クラウド４からファイルリストを受信すると、ステップＳ１８で、受信したファイルリストをＭＦＰ１へ転送したのち、ステップＳ１９で、別の動作または終了動作を行う。
【００５１】
ステップＳ０４で、ファイルリスト転送命令でない場合（ステップＳ０４でＮＯ）、ステップＳ０５で、ファイルコピー命令かどうかを判断する。ファイルコピー命令であれば（ステップＳ０５でＹＥＳ）、ステップＳ０７で、ＭＦＰ１からのファイルコピー命令がメモリ制御部２００へ転送される。
【００５２】
次いで、ステップＳ０８では、ＭＦＰ１からの命令で指定されたフォルダに対して、メモリ制御部２００からファイルコピー命令が発行され、ステップＳ０９ではファイルコピー命令がクラウド４へ転送される。
【００５３】
ステップＳ１０で、クラウド４からファイルを受信すると、ステップＳ１１で、受信したファイルを携帯端末２のフォルダ内に格納したのち、ステップＳ１２で、ＵＳＢメモリからファイルをコピーするのと同一動作にて、コピーしたファイルをＭＦＰ１に転送する。そして、ステップＳ１３で、別の動作または終了動作を行う。
【００５４】
ステップＳ０５でファイルコピー命令でなければ（ステップＳ０５でＮＯ）、ステップＳ０６で、動作終了かどうかを判断し、終了でなければ（ステップＳ０６でＮＯ）、ステップＳ０４に戻る。終了であれば（ステップＳ０６でＹＥＳ）、ステップＳ２０で、アプリケーションの終了またはＵＳＢ接続の解除処理を行う。
【００５５】
以上、本発明の一実施形態を説明したが、本発明は上記実施形態に限定されることはない。
【００５６】
例えば、ＭＦＰ１からのファイル操作として、ファイルリストの取得操作やファイルコピー操作を例示したが、ファイル操作はこれらの操作に限定されることはない。
【符号の説明】
【００５７】
１        画像処理装置
２        携帯端末装置
３        ネットワーク
４        Ｗｅｂサービス
１７      ＵＳＢ接続部
２０      ＣＰＵ
２３      記憶部
２６      ネットワークインターフェース
２７      ＵＳＢ接続部
【図１】
0005910612.tif 000002
【図２】
0005910612.tif 000003
【図３】
0005910612.tif 000004
【図４】
0005910612.tif 000005
【図５】
0005910612.tif 000006
【図６】
0005910612.tif 000007
【図７】
0005910612.tif 000008
【図８】
0005910612.tif 000009
【図９】
0005910612.tif 000010